(57)【要約】【課題】ロック機構として機能する突起であって、引掛シーリングボディとの干渉が抑制された突起を備える照明器具用アダプタを提供する。【解決手段】照明器具用アダプタ１００は、筐体１１０の基準面１１１ｄ側に設けられた開口から突出し、引掛シーリングボディに設けられた挿通孔に挿通されることにより、引掛シーリングボディに対する照明器具用アダプタ１００の回動を規制する突起１８１を備える。突起１８１は、第一突起部１８４と、第一突起部１８４よりも外周側に位置する第二突起部１８５とを含む。第二突起部１８５は、第一突起部１８４よりも所定方向の他方側に突出している。【選択図】図９
2020167080.tif 000002
【特許請求の範囲】
【請求項１】
引掛シーリングボディと照明器具の器具本体とを接続するための照明器具用アダプタであって、
基準面を有し、前記基準面が前記引掛シーリングボディに対向した状態で前記引掛シーリングボディに対して一方から他方に向かう所定方向に回動されることにより、前記引掛シーリングボディに取り付けられる筐体と、
前記筐体の前記基準面側に設けられた開口から突出し、前記引掛シーリングボディに設けられた挿通孔に挿通されることにより、前記引掛シーリングボディに対する前記照明器具用アダプタの回動を規制する突起とを備え、
前記基準面は、前記照明器具用アダプタが前記引掛シーリングボディに取り付けられた状態で前記引掛シーリングボディに接触し、
前記突起は、第一突起部と、前記第一突起部よりも外周側に位置する第二突起部とを含み、
前記第二突起部は、前記第一突起部よりも前記所定方向の前記他方側に突出している
照明器具用アダプタ。
【請求項２】
前記挿通孔は、第一挿通部と、径方向の幅が前記第一挿通部よりも狭い第二挿通部を含み、
前記第一突起部の径方向における幅と前記第二突起部の径方向における幅とを足した幅は、前記第一挿通部の径方向の幅よりも狭く、
前記第二突起部の径方向における幅は、前記第二挿通部の径方向の幅よりも狭い
請求項１に記載の照明器具用アダプタ。
【請求項３】
前記第二突起部は、本体部と、前記本体部よりも前記所定方向の前記他方側に位置する端部とを含み、
前記端部は少なくとも１つの傾斜面を含み、
前記傾斜面は、前記所定方向の前記他方側に向かうほど前記端部の高さが低くなるように傾斜している
請求項１または２に記載の照明器具用アダプタ。
【請求項４】
前記本体部の上面は、少なくとも一部が前記所定方向の前記他方側に向かうほど前記本体部の高さが低くなるように傾斜している
請求項３に記載の照明器具用アダプタ。
【請求項５】
前記本体部の上面は、前記基準面と平行な平面である
請求項３に記載の照明器具用アダプタ。
【請求項６】
前記本体部の上面は、前記所定方向の前記一方側に向かうほど前記本体部の高さが低くなるように傾斜している
請求項３に記載の照明器具用アダプタ。
【請求項７】
さらに、
前記突起を前記挿通孔から引き抜くために押下される、前記筐体の側壁に設けられたボタンと、
前記筐体の側壁に設けられた第一開口から突出し、前記器具本体を前記照明器具用アダプタに係止させるための第一係止部材と、
前記筐体の側壁に設けられた第二開口から突出し、前記器具本体を前記照明器具用アダプタに係止させるための第二係止部材とを備え、
前記突起が前記端部の高さだけ前記筐体内に押し込まれると、前記ボタンが前記筐体の内側へ移動し、前記第一係止部材及び前記第二係止部材の前記筐体の内側への移動が規制される
請求項３〜６のいずれか１項に記載の照明器具用アダプタ。
【請求項８】
前記端部の高さは、前記基準面から、前記端部に含まれる傾斜面のうち最も前記所定方向の前記他方側に位置する傾斜面の上端までの距離である
請求項７に記載の照明器具用アダプタ。
【請求項９】
前記傾斜面と前記基準面とがなす角度は、６５°以下である
請求項３〜８のいずれか１項に記載の照明器具用アダプタ。
【請求項１０】
前記傾斜面は、内周側の前記基準面に対する傾斜角が、外周側の前記基準面に対する傾斜角よりも小さい
請求項３〜９のいずれか１項に記載の照明器具用アダプタ。
【請求項１１】
前記第一突起部の径方向における幅は、前記第二突起部の径方向における幅以上である
請求項２〜９のいずれか１項に記載の照明器具用アダプタ。
【請求項１２】
前記第二突起部の前記所定方向の前記他方側の端面は、前記基準面に直交する平面である
請求項１または２に記載の照明器具用アダプタ。
【請求項１３】
前記突起は、樹脂材料によって形成される
請求項１〜１２のいずれか１項に記載の照明器具用アダプタ。
【請求項１４】
請求項１〜１３のいずれか１項に記載の照明器具用アダプタと、
前記器具本体とを備える
照明器具。
【発明の詳細な説明】
【技術分野】
【０００１】
本発明は、天井に設けられた引掛シーリングボディに照明器具を接続するための照明器具用アダプタ、及び、これを備える照明器具に関する。
【背景技術】
【０００２】
従来、天井に設けられた引掛シーリングボディに照明器具を電気的及び機械的に接続するための照明器具用アダプタが知られている（例えば、特許文献１参照）。
【先行技術文献】
【特許文献】
【０００３】
【特許文献１】特開２０１１−１５４８８９号公報
【発明の概要】
【発明が解決しようとする課題】
【０００４】
照明器具用アダプタと引掛シーリングボディとが完全に取り付けられた状態において、引掛シーリングボディに設けられた挿通孔に照明器具用アダプタから突出する突起が挿入されてロックがかかる機構が知られている。様々な形状の引掛シーリングボディが知られているが、このような突起は、どのような形状の引掛シーリングボディに対しても干渉せずにロック機構として機能する必要がある。
【０００５】
本発明は、ロック機構として機能する突起であって、引掛シーリングボディとの干渉が抑制された突起を備える照明器具用アダプタ、及び、これを備える照明器具を提供する。
【課題を解決するための手段】
【０００６】
本発明の一態様に係る照明器具用アダプタは、引掛シーリングボディと照明器具の器具本体とを接続するための照明器具用アダプタであって、基準面を有し、前記基準面が前記引掛シーリングボディに対向した状態で前記引掛シーリングボディに対して一方から他方に向かう所定方向に回動されることにより、前記引掛シーリングボディに取り付けられる筐体と、前記筐体の前記基準面側に設けられた開口から突出し、前記引掛シーリングボディに設けられた挿通孔に挿通されることにより、前記引掛シーリングボディに対する前記照明器具用アダプタの回動を規制する突起とを備え、前記基準面は、前記照明器具用アダプタが前記引掛シーリングボディに取り付けられた状態で前記引掛シーリングボディに接触し、前記突起は、第一突起部と、前記第一突起部よりも外周側に位置する第二突起部とを含み、前記第二突起部は、前記第一突起部よりも前記所定方向の前記他方側に突出している。
【０００７】
本発明の一態様に係る照明装置は、前記照明器具用アダプタと、前記器具本体とを備える。
【発明の効果】
【０００８】
本発明によれば、ロック機構として機能する突起であって、引掛シーリングボディとの干渉が抑制された突起を備える照明器具用アダプタ、及び、これを備える照明器具が実現される。
【図面の簡単な説明】
【０００９】
【図１】図１は、実施の形態に係る照明器具の分解斜視図である。
【図２】図２は、実施の形態に係る照明器具用アダプタを下方から見た外観斜視図である。
【図３】図３は、実施の形態に係る照明器具用アダプタを上方から見た外観斜視図である。
【図４】図４は、実施の形態に係る照明器具用アダプタを上方から見た分解斜視図である。
【図５】図５は、実施の形態に係る照明器具用アダプタを下方から見た分解斜視図である。
【図６】図６は、ロック解除ボタンが押し込まれた状態の照明器具用アダプタの外観斜視図である。
【図７】図７は、角型引掛シーリングボディの挿通孔に第一端子及び第二端子が挿通された状態を示す図である。
【図８】図８は、実施の形態に係る照明器具用アダプタの不完全な取り付け状態を示す図である。
【図９】図９は、突起の外観斜視図である。
【図１０】図１０は、突起の平面図及び側面図である。
【図１１】図１１は、完全な取り付け状態における挿通孔と突起との位置関係を示す図である。
【図１２】図１２は、ロック解除ボタンを押さずに照明器具用アダプタを角型引掛シーリングボディに取り付けるときに必要な力の大きさを示す図である。
【図１３】図１３は、変形例１に係る突起の平面図及び側面図である。
【図１４】図１４は、変形例３に係る突起の平面図及び側面図である。
【図１５】図１５は、変形例３に係る突起の平面図及び側面図である。
【発明を実施するための形態】
【００１０】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。また、下記の実施の形態おいて、平行または直交などの用語は厳密な意味ではなく、実質的に平行または直交していることを意味する。
【００１２】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１３】
（実施の形態）
以下、実施の形態に係る照明器具について説明する。図１は、実施の形態に係る照明器具の分解斜視図である。図２は、図１の領域ＩＩの拡大図であって、実施の形態に係る照明器具用アダプタを下方から見た外観斜視図である。図３は、実施の形態に係る照明器具用アダプタを上方から見た外観斜視図である。また、図１〜図３には、天井などの構造物に設けられる引掛シーリングボディ２００も図示されている。
【００１４】
図１〜図３に示されるように、照明器具３００は、照明器具用アダプタ１００と、器具本体３１０と、光源ユニット３２０ａ及び３２０ｂと、コネクタ３３０と、蓋３４０と、グローブ３５０とを備える。器具本体３１０には、取り付け孔３６０が設けられている。
【００１５】
器具本体３１０には、光源ユニット３２０ａ及び光源ユニット３２０ｂと、光源ユニット３２０ａ及び光源ユニット３２０ｂに電気的に接続されたコネクタ３３０とが設けられている。また、器具本体３１０の中央部分には、円形の取り付け孔３６０が設けられている。
【００１６】
光源ユニット３２０ａ及び光源ユニット３２０ｂは、それぞれが内部に複数のＬＥＤを有する光源であり、例えば、グローブ３５０（下方）に向けて光を発する。
【００１７】
コネクタ３３０は、照明器具用アダプタ１００に接続されるコネクタである。コネクタ３３０が照明器具用アダプタ１００に接続されることにより、照明器具用アダプタ１００と、器具本体３１０とは電気的に接続される。
【００１８】
グローブ３５０は、透光性を有する光学部材であり、グローブ３５０の平面視形状は、角丸矩形状である。グローブ３５０は、器具本体３１０の下面を覆うように器具本体３１０に取り付けられる。グローブ３５０の平面視形状は、円形であってもよい。
【００１９】
照明器具用アダプタ１００は、引掛シーリングボディ２００と照明器具３００の器具本体３１０とを接続するためのアダプタである。照明器具用アダプタ１００は、筐体１１０を備え、筐体１１０の第一面１１１ａからは、断面Ｌ字状の、第一端子１２１及び第二端子１２２が突出している。第一端子１２１が挿通孔２１１に挿通され、かつ、第二端子１２２が挿通孔２１２に挿通された状態で照明器具用アダプタ１００が引掛シーリングボディ２００に対して取り付け方向に回動されることで、照明器具用アダプタ１００は、引掛シーリングボディ２００に取り付けられる。言い換えれば、照明器具用アダプタ１００は、引掛シーリングボディ２００に機械的及び電気的に接続される。
【００２０】
なお、照明器具用アダプタ１００が回動されて第一端子１２１が挿通孔２１１の終端に達し、かつ、第二端子１２２が挿通孔２１２の終端に達すると、引掛シーリングボディ２００側に向けて付勢された突起１８１の位置が、挿通孔２１２の位置に重なり、突起１８１は、筐体１１０の第一面１１１ａから突出して挿通孔２１２に挿通される。この状態では、照明器具用アダプタ１００の引掛シーリングボディ２００に対する回動が規制される。つまり、照明器具用アダプタ１００の引掛シーリングボディ２００に対する回動がロックされる。
【００２１】
また、筐体１１０の側壁からは第一係止部材１３１及び第二係止部材１３２が突出しており、第一係止部材１３１及び第二係止部材１３２は、筐体１１０に収容された弾性部材（図１〜図３で図示せず）により、筐体１１０の内側から外側に向かって付勢されている。
【００２２】
ユーザは、取り付け孔３６０に照明器具用アダプタ１００の筐体１１０が挿入されるように器具本体３１０を押し上げる。このとき、取り付け孔３６０の内周面と、第一係止部材１３１及び第二係止部材１３２の端部の傾斜面とが当接し、第一係止部材１３１及び第二係止部材１３２が、弾性部材の付勢力に抗して筐体１１０の内側に向けて押し込まれる。
【００２３】
第一係止部材１３１及び第二係止部材１３２が取り付け孔３６０を通過すると、取り付け孔３６０の内周面と、第一係止部材１３１及び第二係止部材１３２の端部の傾斜面との当接が解消される。この結果、第一係止部材１３１及び第二係止部材１３２が、筐体１１０内の弾性部材により与えられる付勢力によって筐体１１０の外側に突出する。そうすると、器具本体３１０の取り付け孔３６０の周縁部分が、第一係止部材１３１及び第二係止部材１３２に係止する。
【００２４】
その後、ユーザは、照明器具用アダプタ１００の筐体１１０の下面側に設けられたコネクタ挿入口１５０にコネクタ３３０を接続し、取り付け孔３６０を下面側から覆う蓋３４０と、グローブ３５０とを装着する。これにより、引掛シーリングボディ２００への照明器具３００の機械的及び電気的な取り付けが完了する。
【００２５】
また、照明器具３００の取り外し方法は、以下の通りである。ユーザは、まず、グローブ３５０と、蓋３４０とを外し、その後、コネクタ挿入口１５０からコネクタ３３０を取り外す。
【００２６】
次に、ユーザは、第一レバー１６１及び第二レバー１６２を、それぞれ筐体１１０の中央部分から外側に向けて引く。そうすると、第一係止部材１３１及び第二係止部材１３２は、筐体１１０の内側に移動する。これにより、ユーザは、器具本体３１０を照明器具用アダプタ１００から取り外すことができる。
【００２７】
また、ユーザは、ロック解除ボタンを押すことで、突起１８１を挿通孔２１２から引き抜き、ロックを解除することができる。ユーザは、ロック解除ボタン１４０を押したまま、照明器具用アダプタ１００を引掛シーリングボディ２００に対して取り外し方向に向けて回動させれば、照明器具用アダプタ１００を引掛シーリングボディ２００から取り外すことができる。
【００２８】
［照明器具用アダプタの構造］
次に、照明器具用アダプタ１００の構造について、図１〜図３に加えて図４及び図５を参照しながら説明する。図４は、照明器具用アダプタ１００を上方から見た分解斜視図である。図５は、照明器具用アダプタ１００を下方から見た分解斜視図である。なお、図４及び図５では、部材同士を固定するねじについては、図示が省略される。
【００２９】
照明器具用アダプタ１００は、筐体１１０と、第一端子１２１と、第二端子１２２と、第三端子１２３と、第一係止部材１３１と、第二係止部材１３２と、ロック解除ボタン１４０と、第一レバー１６１と、第二レバー１６２と、弾性部材１７０と、ロック部１８０とを備える。
【００３０】
筐体１１０は、照明器具用アダプタ１００が備える各構成要素を収容する略扁平円筒状の部材である。筐体１１０は、引掛シーリングボディ２００に対向する第一面１１１ａ、及び、第一面１１１ａと反対側の第二面１１２ａを有する。筐体１１０は、具体的には、第一面１１１ａ側の本体部１１１と、第二面１１２ａ側のカバー１１２とを有する。
【００３１】
本体部１１１は、第二面１１２ａ側が開口した略有底円筒状（扁平状）の部材である。本体部１１１は、例えば、絶縁性を有する樹脂材料により形成され、カバー１１２とともに照明器具用アダプタ１００の筐体１１０を構成する。
【００３２】
本体部１１１の引掛シーリングボディ２００に対向する部分には、端子挿通孔１１１ａ１、端子挿通孔１１１ａ２、及び、端子挿通孔１１１ａ３が設けられる。端子挿通孔１１１ａ１からは第一端子１２１の一方の端部１２１ａが突出し、端子挿通孔１１１ａ２からは第二端子１２２の一方の端部１２２ａが突出し、端子挿通孔１１１ａ３からは第三端子１２３の一方の端部１２３ａが突出する。
【００３３】
また、本体部１１１の引掛シーリングボディ２００に対向する部分には、開口１１１ｂが設けられる。開口１１１ｂからはロック部１８０が有する突起１８１が突出する。
【００３４】
本体部１１１の引掛シーリングボディ２００に対向する部分には、引掛シーリングボディ２００に対向する基準面１１１ｄが設けられる。基準面１１１ｄは、筐体１１０が引掛シーリングボディ２００に取り付けられたときに引掛シーリングボディ２００に接触する接触面である。基準面１１１ｄの平面視形状は、角丸の矩形枠状である。
【００３５】
本体部１１１の側壁部には、第一開口１１１ｃ１及び第二開口１１１ｃ２が設けられる。第一開口１１１ｃ１からは、第一係止部材１３１が本体部１１１の外側に向けて突出している。第二開口１１１ｃ２からは、第二係止部材１３２が本体部１１１の外側に向けて突出している。
【００３６】
本体部１１１の内側には、コネクタ挿入口１５０が設けられている。コネクタ挿入口１５０は、本体部１１１のうち引掛シーリングボディ２００に対向する部分の内面から、第二面１１２ａ側に向けて筒状に延出した部分である。コネクタ挿入口１５０は、カバー１１２の中央に設けられた開口１１２ｂを通じて筐体１１０から外部に露出し、器具本体３１０のコネクタ３３０が抜き挿し自在に接続される。コネクタ挿入口１５０の平面視形状は、略Ｔ状であり、コネクタ３３３もこれに対応した形状となる。コネクタ挿入口１５０は、筐体１１０の第二面１１２ａ側に設けられた凹部の一例である。
【００３７】
カバー１１２は、本体部１１１の下面側を覆う樹脂製で板状の部材である。カバー１１２は、筐体１１０の下面（接続面）を構成し、カバー１１２の中央には、開口１１２ｂが設けられる。当該開口１１２ｂからは、コネクタ挿入口１５０並びに第一レバー１６１の第一被操作部１６１ａ及び第二レバー１６２の第二被操作部１６２ａが外部に露出する。
【００３８】
第一端子１２１、第二端子１２２、及び第三端子１２３は、金属製の板状の部材である。第一端子１２１、第二端子１２２、及び、第三端子１２３は、本体部１１１の内側にネジによって固定される。第一端子１２１の一方の端部１２１ａは、筐体１１０に設けられた端子挿通孔１１１ａ１から突出する。第一端子１２１の他方の端部１２１ｂは、コネクタ挿入口１５０内に配置される。同様に、第二端子１２２の一方の端部１２２ａは、筐体１１０に設けられた端子挿通孔１１１ａ２から突出する。第二端子１２２の他方の端部１２２ｂは、コネクタ挿入口１５０内に配置される。第三端子１２３の一方の端部１２３ａは、筐体１１０に設けられた端子挿通孔１１１ａ３から突出し、第三端子１２３の他方の端部１２３ｂは、コネクタ挿入口１５０内に配置される。
【００３９】
第一端子１２１及び第二端子１２２は、照明器具３００が引掛シーリングボディ２００から電力供給を受けるための一対の端子である。第一端子１２１の一方の端部１２１ａが挿通孔２１１に挿通され、かつ、第二端子１２２の一方の端部１２２ａが挿通孔２１２に挿通されることにより、第一端子１２１及び第二端子１２２は、引掛シーリングボディ２００内の一対の給電用端子に電気的に接続される。照明器具３００は、例えば、引掛シーリングボディ２００から交流電力の供給を受けるが、直流電力の供給を受けてもよい。
【００４０】
また、第一端子１２１の一方の端部１２１ａ、及び、第二端子１２２の一方の端部１２２ａのそれぞれは、Ｌ字状に折り曲げられている。第一端子１２１の一方の端部１２１ａが挿通孔２１１に挿通され、かつ、第二端子１２２の一方の端部１２２ａが挿通孔２１２に挿通された状態で照明器具用アダプタ１００が回動されると、照明器具用アダプタ１００が引掛シーリングボディ２００に引っ掛かる。つまり、第一端子１２１及び第二端子１２２は、照明器具用アダプタ１００の引掛シーリングボディ２００への機械的な接続にも用いられる。
【００４１】
第一端子１２１の他方の端部１２１ｂ、第二端子１２２の他方の端部１２２ｂ、及び、第三端子１２３の他方の端部１２３ｂは、コネクタ３３０がコネクタ挿入口１５０に接続された状態において、コネクタ３３０内の金属端子と接続される。
【００４２】
第一係止部材１３１及び第二係止部材１３２は、照明器具用アダプタ１００が器具本体３１０を保持するための樹脂製の部材である。言い換えれば、第一係止部材１３１及び第二係止部材１３２は、器具本体３１０を照明器具用アダプタ１００に係止させるための部材である。
【００４３】
第一係止部材１３１は、弾性部材１７０によって筐体１１０の内側から外部に向けて付勢されており、第一開口１１１ｃ１から筐体１１０の外側に向けて突出している。第二係止部材１３２は、弾性部材１７０によって筐体１１０の内側から外部に向けて付勢されており、第二開口１１１ｃ２から筐体１１０の外側に向けて突出している。弾性部材１７０は、具体的には、ねじりばねであるが、その他の弾性部材であってもよい。
【００４４】
第一係止部材１３１は、第一レバー１６１が操作されることにより、Ｙ軸方向に沿って移動する。第二係止部材１３２は、第二レバー１６２が操作されることにより、Ｙ軸方向に沿って移動する。
【００４５】
第一レバー１６１及び第二レバー１６２は、器具本体３１０を照明器具用アダプタ１００から取り外すために操作される樹脂製の部材である。
【００４６】
第一レバー１６１は、第一係止部材１３１をＹ軸方向に沿って移動させるための部材である。第一レバー１６１は、第一被操作部１６１ａ及び第一連結部１６１ｂを有する。
【００４７】
第一被操作部１６１ａは、カバー１１２に設けられた開口１１２ｂから突出し、ユーザによって操作される。開口１１２ｂは、筐体１１０の第二面１１２ａ側に設けられた第三開口の一例である。
【００４８】
第一連結部１６１ｂは、第一被操作部１６１ａ及び第一係止部材１３１を連結する。第一連結部１６１ｂは、第一係止部材１３１の凹部１３１ａに配置され、これにより第一レバー１６１と第一係止部材１３１とは係合する。つまり、第一被操作部１６１ａ及び第一係止部材１３１が連結される。第一被操作部１６１ａが筐体１１０の中央部分から外側に向けて引っ張られることで第一係止部材１３１は、弾性部材１７０の弾性力に抗して筐体１１０の内側に移動する。
【００４９】
第二レバー１６２は、第二係止部材１３２をＹ軸方向に沿って移動させるための部材である。第二レバー１６２は、第二被操作部１６２ａ及び第二連結部１６２ｂを有する。
【００５０】
第二被操作部１６２ａは、カバー１１２に設けられた開口１１２ｂから突出し、ユーザによって操作される。開口１１２ｂは、筐体１１０の第二面１１２ａ側に設けられた第四開口の一例である。
【００５１】
第二連結部１６２ｂは、第二被操作部１６２ａ及び第二係止部材１３２を連結する。第二連結部１６２ｂは、第二係止部材１３２の凹部１３２ａに配置され、これにより第二レバー１６２と第二係止部材１３２とは係合する。つまり、第二被操作部１６２ａ及び第二係止部材１３２が連結される。第二被操作部１６２ａが筐体１１０の中央部分から筐体１１０の外側に向けて引っ張られることで第二係止部材１３２は、弾性部材１７０の弾性力に抗して筐体１１０の内側に移動する。
【００５２】
このように、ユーザは、第一被操作部１６１ａ及び第二被操作部１６２ａのそれぞれを筐体１１０の中央部分から外側に向けて引くことで、第一係止部材１３１及び第二係止部材１３２を筐体１１０内に移動させ、器具本体３１０を照明器具用アダプタ１００から取り外すことができる。
【００５３】
ロック部１８０は、照明器具用アダプタ１００が引掛シーリングボディ２００に正常に取り付けられた状態を維持するために、照明器具用アダプタ１００の引掛シーリングボディ２００に対する移動を規制するための部材である。ロック部１８０は、突起１８１と、コイルばね（図示せず）が挿入されるバネ用穴１８２と、溝部１８３とを備える。ロック部１８０は、樹脂材料によって形成される。
【００５４】
バネ用穴１８２に挿入されたコイルばねは、一端がバネ用穴１８２内の底部に当接し、他端がカバー１１２の内側の面に当接する。これにより、ロック部１８０は、第二面１１２ａ側から第一面１１１ａ側に向けて付勢される。照明器具用アダプタ１００が回動されて第一端子１２１が挿通孔２１１の終端に達し、かつ、第二端子１２２が挿通孔２１２の終端に達すると、突起１８１の位置が、挿通孔２１２の位置に重なり、突起１８１は、コイルばね１９０の付勢力（弾性力）により、筐体１１０の第一面１１１ａから突出して挿通孔２１２に挿通される。この状態では、照明器具用アダプタ１００の引掛シーリングボディ２００に対する回動が規制される。つまり、照明器具用アダプタ１００の引掛シーリングボディ２００に対する回動がロックされる。
【００５５】
このように、突起１８１は、筐体１１０の第一面１１１ａ側に設けられた開口１１１ｂから突出し、引掛シーリングボディ２００に設けられた挿通孔２１２に挿通されることにより、引掛シーリングボディ２００に対する照明器具用アダプタ１００の移動を規制する。
【００５６】
ロック解除ボタン１４０は、突起１８１を挿通孔２１２から引き抜くために押下される、筐体１１０の側壁に設けられたボタンである。ロック解除ボタン１４０は、一部が筐体１１０の側壁に設けられた切り欠き部を通じて筐体１１０の外側に位置する樹脂製の部材である。
【００５７】
ロック解除ボタン１４０の凸部１４１は、ロック部１８０の溝部１８３内に位置する。溝部１８３は、凸部１４１の移動方向であるＸ軸方向において傾斜した溝を形成しており、ユーザがロック解除ボタン１４０を筐体１１０の内側に押し込むと、ロック解除ボタン１４０の凸部１４１が溝部１８３の内壁を押すことによって、ロック部１８０が第二面１１２ａ側に移動される。図６は、ロック解除ボタン１４０が押し込まれた状態の照明器具用アダプタ１００の外観斜視図である。
【００５８】
この結果、コイルばねの付勢力（弾性力）に抗して突起１８１が挿通孔２１２から引き抜かれる。これにより、照明器具用アダプタ１００の引掛シーリングボディ２００に対する回動の規制が解除される。ユーザは、ロック解除ボタン１４０を押しながら照明器具用アダプタ１００を引掛シーリングボディ２００に対して回動させることにより、引掛シーリングボディ２００から照明器具用アダプタ１００を取り外すことができる。
【００５９】
［不完全な取り付け状態］
ところで、照明器具用アダプタ１００を引掛シーリングボディ２００に取り付けるときには、第一端子１２１及び第二端子１２２が挿通孔に挿通されてから回動が完了して第一端子１２１及び第二端子１２２のそれぞれが挿通孔の終端に達するまでの間、突起１８１は常に引掛シーリングボディ２００に押さえられる。つまり、突起１８１は、取り付け作業の開始後は、照明器具用アダプタ１００が引掛シーリングボディ２００に完全に取り付けられて初めて筐体１１０から突出することができる。言い換えれば、照明器具用アダプタ１００の引掛シーリングボディ２００に対する回動量が十分でなく、照明器具用アダプタ１００が引掛シーリングボディ２００に完全に取り付けられていない状態（以下、不完全な取り付け状態とも記載される）においては、突起１８１は、突出せず、これに連動してロック解除ボタン１４０も筐体１１０の内側に位置したままとなる（図６に図示）。
【００６０】
これを利用し、照明器具用アダプタ１００は、ロック解除ボタン１４０に設けられた規制部１４２（図４及び図５に図示）により、不完全な取り付け状態における器具本体３１０の照明器具用アダプタ１００への取り付けを抑制している。具体的には、ロック解除ボタン１４０が内側に位置している間は、ロック解除ボタン１４０に設けられた規制部１４２が第一係止部材１３１及び第二係止部材１３２の間に入り込み、第一係止部材１３１及び第二係止部材１３２の筐体１１０の内側への移動が規制される。つまり、不完全な取り付け状態においては器具本体３１０を照明器具用アダプタ１００に取り付けることができない。したがって、不完全な取り付け状態のまま器具本体３１０が照明器具用アダプタ１００に取り付けられた結果、器具本体３１０が照明器具用アダプタ１００ごと脱落してしまうことが抑制される。
【００６１】
ところが、図７に示されるように、角型引掛シーリングボディに照明器具用アダプタ１００を取り付けるときには、第一端子１２１及び第二端子１２２が挿通孔に挿通された時点では、突起１８１を押さえつける構造体が存在しない。図７は、角型引掛シーリングボディ２５０の挿通孔に第一端子１２１及び第二端子１２２が挿通された状態を示す図である。そして、図８に示されるように、照明器具用アダプタ１００の引掛シーリングボディ２００に対する回動量が不十分な、不完全な取り付け状態においても、突起１８１を押さえつける構造物が存在せず、規制部１４２が機能しない場合がある。図８は、照明器具用アダプタ１００の不完全な取り付け状態を示す図である。
【００６２】
このように、照明器具用アダプタ１００と角型引掛シーリングボディ２５０とを組み合わせる構成においては、不完全な取り付け状態においても器具本体３１０を照明器具用アダプタ１００に取り付けることができてしまう場合がある。
【００６３】
［突起の形状］
そこで、発明者は、照明器具用アダプタ１００と角型引掛シーリングボディ２５０とを組み合わせる構成において、なるべく早い段階で突起１８１が押さえつけられるような突起１８１の形状を見出した。図９は、突起１８１の外観斜視図である。図１０は、突起１８１の平面図及び側面図である。なお、以下では、上記実施の形態の取り付け方向は、一方から他方へ向かう所定方向として説明される。
【００６４】
突起１８１は、第一突起部１８４と、第一突起部１８４よりも外周側に位置する第二突起部１８５とを含む。
【００６５】
第一突起部１８４は、第二突起部１８５を補強する部分である。第一突起部１８４によれば、ロック解除ボタン１４０を押さずに無理に照明器具用アダプタ１００を角型引掛シーリングボディ２５０から外そうとする力などで第二突起部１８５が破損及び変形してしまうことが抑制される。第一突起部１８４は、傾斜面１８４ａを含み、傾斜面１８４ａは、所定方向の他方側に向かうほど本体部１８６の高さが低くなるように傾斜している。
【００６６】
第二突起部１８５は、早い段階で突起１８１が押さえつけられるように、第一突起部１８４よりも所定方向の他方側に突出している。このような突起１８１の形状によれば、図１１に示されるように突起１８１の形状（太線で縁取りされた形状）が挿通孔２１２の形状と対応する。図１１は、完全な取り付け状態における挿通孔２１２と突起１８１との位置関係を示す図である。このように、突起１８１の形状が挿通孔２１２の形状と対応していれば、挿通孔２１２と突起１８１との干渉を抑制しつつ突起１８１を所定方向の他端側に延長することができ、早い段階で突起１８１が押さえつけられるような構造を実現できる。
【００６７】
また、第一突起部１８４の径方向における幅Ｗ１は、第二突起部１８５の径方向における幅Ｗ２以上である。第二突起部１８５よりも第一突起部１８４を厚く形成することで第二突起部１８５を確実に補強し、破損、変形をさらに抑制できる。
【００６８】
加えて、第一突起部１８４の径方向における幅Ｗ１と第二突起部１８５の径方向における幅Ｗ２とを足した幅は、挿通孔２１２の径方向における幅Ｗ３未満である。これにより、挿通孔２１２と突起１８１との干渉をさらに抑制することができる。
【００６９】
さらに、第二突起部１８５の径方向における幅Ｗ２は、挿通孔２１２の径方向における幅Ｗ４未満である。これにより、挿通孔２１２と突起１８１との干渉をさらに抑制することができる。
【００７０】
第二突起部１８５は、より具体的には、本体部１８６と、本体部１８６よりも所定方向の他方側に位置する端部１８７とを含む。
【００７１】
本体部１８６の上面１８６ａは、所定方向の他方側に向かうほど本体部１８６の高さが低くなるように傾斜している。
【００７２】
端部１８７は、傾斜面１８７ａを含み、傾斜面１８７ａは、所定方向の他方側に向かうほど端部１８７の高さが低くなるように傾斜している。このような傾斜面１８７ａによれば、ロック解除ボタン１４０を押さずに照明器具用アダプタ１００を角型引掛シーリングボディ２５０に対して回動させるだけで突起１８１を押し下げることができる。
【００７３】
なお、端部１８７は、端部１８７の上端から下端にわたる単一の傾斜面１８７ａを一つだけ有しているが、多段階の傾斜面を有していてもよい。つまり、端部１８７は、傾斜面を複数含んでもよい。端部１８７は、傾斜面を少なくとも１つ含んでいればよい。
【００７４】
傾斜面１８７ａの傾斜角度（つまり、基準面１１１ｄに対する角度）については検討の余地がある。図１２は、ロック解除ボタン１４０を押さずに照明器具用アダプタ１００を角型引掛シーリングボディ２５０に取り付けるときに必要な力（以下、嵌合トルクとも記載される）の大きさを示す図である。
【００７５】
突起１８１が押し下げられるタイミングは、傾斜角度が大きいほど早くなるが、傾斜角度が大きすぎると、嵌合トルクが増大する。図１２に示されるように、嵌合トルクは、傾斜面１８７ａの傾斜角度が６５°以下であるときには、０．９［Ｎ・ｍ］であるが、傾斜角度が６５°を超えると急激に大きくなる。つまり、傾斜面１８７ａの傾斜角度が６５°以下であれば、嵌合トルクの増大を抑制することができる。
【００７６】
なお、図９に示されるように、傾斜面１８７ａは、内周側の基準面１１１ｄに対する傾斜角θ１が、外周側の基準面１１１ｄに対する傾斜角θ２よりも小さい。このような構成によれば、端部１８７の内周側を所定方向の一端側に位置させることができるので、挿通孔２１２と突起１８１との干渉をさらに抑制することができる。また、複数回の着脱により、端部１８７の内周側が削れてしまったとしても端部１８７の外周側が残るため、突起１８１が押し下げられるタイミングが極端に遅くなってしまうことが抑制される。θ１は、例えば、５５°±１°であり、θ２は、例えば、５９°±１°である。
【００７７】
また、照明器具用アダプタ１００では、突起１８１の全体が筐体１１０内に押し込まれなくても、第一係止部材１３１及び第二係止部材１３２の筐体１１０の内側への移動が規制される。具体的には、突起１８１が端部１８７の高さｈだけ押し込まれれば、ロック解除ボタン１４０が筐体１１０の内側へ移動し、規制部１４２によって第一係止部材１３１及び第二係止部材１３２の筐体１１０の内側への移動が規制される。具体的には、回動により、第一端子１２１及び第二端子１２２が角型引掛シーリングボディ２５０内部の一対の給電用端子に嵌合し始めたタイミングで、突起１８１が端部１８７の高さｈだけ押し込まれる。高さｈは、基準面１１１ｄを基準とした高さであり、言い換えれば、基準面１１１ｄから、端部１８７の傾斜面１８７ａと上面１８６ａの境界（傾斜面１８７ａと上面１８６ａの交線）までの距離である。端部１８７が複数の傾斜面を含むような場合には、高さｈは、基準面１１１ｄから、最も所定方向の他方側に位置する傾斜面の上端までの距離である。
【００７８】
以上説明したように、照明器具用アダプタ１００は、照明器具用アダプタ１００を角型引掛シーリングボディ２５０に取り付ける際に、早い段階で突起１８１が押さえつけられるような構造を有している。突起１８１が押さえつけられることで、照明器具用アダプタ１００及び角型引掛シーリングボディ２５０が不完全取り付け状態のまま、照明器具用アダプタ１００に器具本体３１０が取り付けられることが抑制される。つまり、安全性の高い照明器具用アダプタ１００が実現される。
【００７９】
［突起の形状の変形例１］
突起１８１の形状は、一例である。突起１８１の形状の変形例１について説明する。図１３は、変形例１に係る突起の平面図及び側面図である。
【００８０】
図１３に示される突起１１８１は、第一突起部１１８４と、第一突起部１１８４よりも外周側に位置する第二突起部１１８５とを含む。第二突起部１１８５は、第一突起部１１８４よりも所定方向の他方側に突出している。第一突起部１１８４の径方向における幅は、第二突起部１１８５の径方向における幅以上である。
【００８１】
第二突起部１１８５は、本体部１１８６と、本体部１１８６よりも所定方向の他方側に位置する端部１１８７とを含む。
【００８２】
本体部１１８６の上面１１８６ａは、基準面１１１ｄと平行な平面である。端部１１８７は少なくとも１つの傾斜面１１８７ａを含む。傾斜面１１８７ａは、所定方向の他方側に向かうほど端部１１８７の高さが低くなるように傾斜している。傾斜面１１８７ａは、内周側の基準面１１１ｄに対する傾斜角が、外周側の基準面１１１ｄに対する傾斜角よりも小さい。
【００８３】
このような突起１１８１も突起１８１と同様の効果を奏する。また、突起１１８１では、本体部１１８６の上面１１８６ａが基準面１１１ｄと平行な平面になっており、これにより、照明器具用アダプタ１００を角型引掛シーリングボディ２５０に取り付ける作業を途中で止めてしまった場合でも、照明器具用アダプタ１００が自然に外れにくくなる。
【００８４】
なお、突起１１８１が照明器具用アダプタに採用される場合、突起１１８１が基準面１１１ｄから上面１１８６ａまでの高さ（言い換えれば、基準面１１１ｄから）だけ押し込まれれば、ロック解除ボタン１４０が筐体１１０の内側へ移動し、規制部１４２によって第一係止部材１３１及び第二係止部材１３２の筐体１１０の内側への移動が規制される。
【００８５】
［突起の形状の変形例２］
図１４は、変形例２に係る突起の平面図及び側面図である。図１４に示される突起２１８１は、第一突起部２１８４と、第一突起部２１８４よりも外周側に位置する第二突起部２１８５とを含む。第二突起部２１８５は、第一突起部２１８４よりも所定方向の他方側に突出している。第一突起部２１８４の径方向における幅は、第二突起部２１８５の径方向における幅以上である。
【００８６】
第二突起部２１８５は、本体部２１８６と、本体部２１８６よりも所定方向の他方側に位置する端部２１８７とを含む。
【００８７】
本体部２１８６の上面２１８６ａは、所定方向の一方側に向かうほど本体部１８６の高さが低くなるように傾斜している。端部２１８７は少なくとも１つの傾斜面２１８７ａを含む。傾斜面２１８７ａは、所定方向の他方側に向かうほど端部２１８７の高さが低くなるように傾斜している。傾斜面２１８７ａは、内周側の基準面１１１ｄに対する傾斜角が、外周側の基準面１１１ｄに対する傾斜角よりも小さい。
【００８８】
このような突起２１８１も突起１８１と同様の効果を奏する。また、突起２１８１では、本体部２１８６の上面２１８６ａが所定方向の一方側に向かうほど本体部１８６の高さが低くなるように傾斜している。つまり、突起２１８１の上端が先細りになっており、完全な取り付け状態において突起２１８１が挿通孔２１２に入りやすい効果が得られる。
【００８９】
［突起の形状の変形例３］
図１５は、変形例３に係る突起の平面図及び側面図である。図１５に示される突起３１８１は、第一突起部３１８４と、第一突起部３１８４よりも外周側に位置する第二突起部３１８５とを含む。第二突起部３１８５は、第一突起部３１８４よりも所定方向の他方側に突出している。第一突起部３１８４の径方向における幅は、第二突起部３１８５の径方向における幅以上である。
【００９０】
第二突起部３１８５の上面３１８５ａは、基準面１１１ｄと平行な平面である。第二突起部３１８５の所定方向の他方側の端面３１８５ｂは、基準面１１１ｄに直交する平面である。
【００９１】
このような突起３１８１も突起１８１と同様の効果を奏する。このような突起３１８１を有する照明器具用アダプタ１００は、角型引掛シーリングボディ２５０への取り付けに際して、ロック解除ボタン１４０を押さなければ照明器具用アダプタ１００を角型引掛シーリングボディ２５０に取り付けることができない。このため、突起３１８１が突出したまま不完全な取り付け状態となってしまうことがほとんどなくなる。
【００９２】
［効果等］
以上説明したように、照明器具用アダプタ１００は、引掛シーリングボディ２００（または角型引掛シーリングボディ２５０）と照明器具３００の器具本体３１０とを接続するための照明器具用アダプタである。照明器具用アダプタ１００は、基準面１１１ｄを有し、基準面１１１ｄが引掛シーリングボディ２００に対向した状態で引掛シーリングボディ２００に対して一方から他方に向かう所定方向に回動されることにより、引掛シーリングボディ２００に取り付けられる筐体１１０と、筐体１１０の基準面１１１ｄ側に設けられた開口１１１ｂから突出し、引掛シーリングボディ２００に設けられた挿通孔２１２に挿通されることにより、引掛シーリングボディ２００に対する照明器具用アダプタ１００の回動を規制する突起１８１とを備える。基準面１１１ｄは、照明器具用アダプタ１００が引掛シーリングボディ２００に取り付けられた状態で引掛シーリングボディ２００に接触する。突起１８１は、第一突起部１８４と、第一突起部１８４よりも外周側に位置する第二突起部１８５とを含む。第二突起部１８５は、第一突起部１８４よりも所定方向の他方側に突出している。
【００９３】
このように第二突起部１８５が第一突起部１８４よりも所定方向の他方側に突出していれば、挿通孔２１２と突起１８１との干渉を抑制しつつ突起１８１を所定方向の他端側に延長することができ、早い段階で突起１８１が押さえつけられるような構造を実現できる。照明器具用アダプタ１００が、突起１８１が押さえつけられることで器具本体３１０の取り付けができない機構を有していれば、照明器具用アダプタ１００の安全性が向上される。
【００９４】
また、例えば、第二突起部１８５は、本体部１８６と、本体部１８６よりも所定方向の他方側に位置する端部１８７とを含む。端部１８７は少なくとも１つの傾斜面１８７ａを含み、傾斜面１８７ａは、所定方向の他方側に向かうほど端部１８７の高さが低くなるように傾斜している。
【００９５】
このような傾斜面１８７ａによれば、ロック解除ボタン１４０を押さずに照明器具用アダプタ１００を角型引掛シーリングボディ２５０に対して回動させるだけで突起１８１を押し下げることができる。
【００９６】
また、例えば、本体部１８６の上面１８６ａは、少なくとも一部が所定方向の他方側に向かうほど本体部１８６の高さが低くなるように傾斜している。
【００９７】
このような上面１８６ａによれば、ロック解除ボタン１４０を押さずに照明器具用アダプタ１００を角型引掛シーリングボディ２５０に対して回動させるだけで突起１８１を押し下げることができる。
【００９８】
また、例えば、突起１１８１においては、本体部１１８６の上面１１８６ａは、基準面１１１ｄと平行な平面である。
【００９９】
これにより、照明器具用アダプタ１００を角型引掛シーリングボディ２５０に取り付ける作業を途中で止めてしまった場合でも、照明器具用アダプタ１００が自然に外れにくくなる。
【０１００】
また、例えば、突起２１８１においては、本体部２１８６の上面２１８６ａは、所定方向の一方側に向かうほど本体部２１８６の高さが低くなるように傾斜している。
【０１０１】
これにより、突起２１８１の上端が先細りになるため、完全な取り付け状態において突起２１８１が挿通孔２１２に入りやすい効果が得られる。
【０１０２】
また、例えば、照明器具用アダプタ１００は、さらに、突起１８１を挿通孔から引き抜くために押下される、筐体１１０の側壁に設けられたロック解除ボタン１４０と、筐体１１０の側壁に設けられた第一開口１１１ｃ１から突出し、器具本体３１０を照明器具用アダプタ１００に係止させるための第一係止部材１３１と、筐体１１０の側壁に設けられた第二開口１１１ｃ２から突出し、器具本体３１０を照明器具用アダプタ１００に係止させるための第二係止部材１３２とを備える。突起１８１が端部１８７の高さだけ筐体１１０内に押し込まれると、ロック解除ボタン１４０が筐体１１０の内側へ移動し、第一係止部材１３１及び第二係止部材１３２の筐体１１０の内側への移動が規制される。
【０１０３】
これにより、上述した早い段階で突起１８１が押さえつけられるような構造によって、照明器具用アダプタ１００の安全性を向上することができる。
【０１０４】
なお、端部１８７の高さは、基準面１１１ｄから、端部１８７に含まれる傾斜面のうち最も所定方向の他方側に位置する傾斜面の上端までの距離である。
【０１０５】
また、例えば、傾斜面１８７ａと基準面１１１ｄとがなす角度は、６５°以下である。
【０１０６】
これにより、嵌合トルクの増大を抑制することができる。
【０１０７】
また、例えば、傾斜面１８７ａは、内周側の基準面１１１ｄに対する傾斜角θ１が、外周側の基準面１１１ｄに対する傾斜角θ２よりも小さい。
【０１０８】
このような構成によれば、端部１８７の内周側を所定方向の一端側に位置させることができるので、挿通孔２１２と突起１８１との干渉をさらに抑制することができる。また、複数回の着脱により、端部１８７の内周側が削れてしまったとしても端部１８７の外周側が残るため、突起１８１が押し下げられるタイミングが極端に遅くなってしまうことが抑制される。
【０１０９】
また、例えば、挿通孔２１２は、第一挿通部と、径方向の幅が第一挿通部よりも狭い第二挿通部を含み、第一突起部１８４の径方向における幅Ｗ１と第二突起部１８５の径方向における幅Ｗ２とを足した幅は、第一挿通部の径方向の幅Ｗ３よりも狭い。
【０１１０】
これにより、挿通孔２１２と突起１８１との干渉をさらに抑制することができる。
【０１１１】
また、例えば、挿通孔２１２は、第一挿通部と、径方向の幅が第一挿通部よりも狭い第二挿通部を含み、第二突起部１８５の径方向における幅Ｗ２は、第二挿通部の径方向の幅Ｗ４よりも狭い。
【０１１２】
これにより、挿通孔２１２と突起１８１との干渉をさらに抑制することができる。
【０１１３】
また、例えば、第一突起部１８４の径方向における幅Ｗ１は、第二突起部１８５の径方向における幅Ｗ２以上である。これにより、挿通孔２１２と突起１８１との干渉をさらに抑制することができる。
【０１１４】
また、例えば、突起３１８１においては、第二突起部３１８５の所定方向の他方側の端面３１８５ｂは、基準面１１１ｄに直交する平面である。
【０１１５】
これにより、ロック解除ボタン１４０を押さなければ照明器具用アダプタ１００を角型引掛シーリングボディ２５０に取り付けることができなくなるため、突起３１８１が突出したまま不完全な取り付け状態となってしまうことがほとんどなくなる。
【０１１６】
また、例えば、突起１８１は、樹脂材料によって形成される。
【０１１７】
これにより、突起１８１を上記形状に加工しやすい効果が得られる。
【０１１８】
また、照明器具３００は、照明器具用アダプタ１００と、器具本体３１０とを備える。
【０１１９】
このような照明器具３００は、照明器具用アダプタ１００と同様の効果を奏する。
【０１２０】
（その他の実施の形態）
以上、実施の形態について説明したが、本発明は、上記実施の形態に限定されるものではない。
【０１２１】
例えば、上記実施の形態で説明された照明器具は一例であり、照明器具の具体的態様については特に限定されない。照明器具は、照明器具用アダプタを用いて引掛シーリングボディに接続されるのであれば、どのような態様であってもよい。
【０１２２】
また、引掛シーリングボディの具体的態様についても特に限定されない。引掛シーリングボディとしては、丸型フル引掛シーリング、フル引掛ローゼット、丸型引掛シーリング、角型引掛シーリング、引掛埋込ローゼット、及び、引掛露出ローゼットなどが用いられる。
【０１２３】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１２４】
１００  照明器具用アダプタ
１１０  筐体
１１１ｂ  開口
１１１ｃ１  第一開口
１１１ｃ２  第二開口
１１１ｄ  基準面
１２１  第一端子
１２２  第二端子
１３１  第一係止部材
１３２  第二係止部材
１４０  ロック解除ボタン（ボタン）
１８１、１１８１、２１８１、３１８１  突起
１８４、１１８４、２１８４、３１８４  第一突起部
１８４ａ  傾斜面
１８５、１１８５、２１８５、３１８５  第二突起部
１８６、１１８６、２１８６  本体部
１８６ａ、１１８６ａ、２１８６ａ、３１８６ａ  上面
１８７、１１８７、２１８７  端部
１８７ａ、１１８７ａ、２１８７ａ  傾斜面
２００  引掛シーリングボディ
２１２  挿通孔
２５０  角型引掛シーリングボディ
３００  照明器具
３１０  器具本体
３１８５ｂ  端面
Ｗ１、Ｗ２  幅
θ１、θ２  傾斜角
【図１】
2020167080.tif 000003
【図２】
2020167080.tif 000004
【図３】
2020167080.tif 000005
【図４】
2020167080.tif 000006
【図５】
2020167080.tif 000007
【図６】
2020167080.tif 000008
【図７】
2020167080.tif 000009
【図８】
2020167080.tif 000010
【図９】
2020167080.tif 000011
【図１０】
2020167080.tif 000012
【図１１】
2020167080.tif 000013
【図１２】
2020167080.tif 000014
【図１３】
2020167080.tif 000015
【図１４】
2020167080.tif 000016
【図１５】
2020167080.tif 000017